(57)【特許請求の範囲】
【請求項１】
前面および後面を有する透明な板状をなすものであって、端面から光が入射することで発光する前発光板と、
前記前発光板に一体成形されたものであって、後面が開口する凹状の前カバーと、
前面および後面を有する透明な板状をなすと共に端面から光が入射することで発光するものであって、当該前面が前記前発光板の後面に対向するように配置された後発光板と、
前記後発光板に一体成形されたものであって、前面が開口する凹状をなすと共に前記前カバーの後方に配置された後カバーと、
前記前カバーおよび前記後カバー相互間に設けられ、前記前発光板の前記端面および前記後発光板の前記端面のそれぞれを壁面の一部とする基板収納室と、
前記基板収納室内に前記基板収納室内から突出しないように設けられた基板と、
前記基板に設けられ、前記前発光板の前記端面に光を投射するための前光源と、
前記基板に設けられ、前記後発光板の前記端面に光を投射するための後光源を備え、
前記基板は、前記前光源が前記前発光板の前記端面に対向すると共に前記後光源が前記後発光板の前記端面に対向するように前記基板収納室内に固定されていることを特徴とするパチンコ遊技機。
【発明の詳細な説明】
【技術分野】
【０００１】
本発明は電飾機能を備えたパチンコ遊技機に関する。
【背景技術】
【０００２】
パチンコ遊技機には透明な発光板を備えたものがある。この発光板は前面および後面のそれぞれを有する板状をなすものであり、発光板には基板ボックスが組付けられている。この基板ボックスは前カバーおよび後カバーを相互に接合してなる中空状をなすものであり、基板ボックス内には基板が固定されている。この基板には光源が搭載されている。この光源は発光板の端面に光を投射するものであり、光源が発光した場合には発光板の端面から発光板内に光が進入することで発光板が発光する。
【先行技術文献】
【特許文献】
【０００３】
【特許文献１】特開２０１０−１８８０２１号公報
【発明の概要】
【発明が解決しようとする課題】
【０００４】
上記パチンコ遊技機の場合には発光板に基板ボックスが組付けられている。このため、光源の発光板に対する位置関係が製品毎にばらつくので、光を目標位置から目標角度で発光板の端面に安定的に進入させることが困難である。
【課題を解決するための手段】
【０００５】
本発明のパチンコ遊技機は次の［１］前発光板〜［８］後光源を備えたものである。
［１］前発光板は前面および後面を有する透明な板状をなすものであり、端面から光が入射することで発光するものである。図７の符号４３は前発光板に相当し、図７の前入射面４５は端面に相当する。
［２］前カバーは前発光板に一体成形されたものであり、後面が開口する凹状をなしている。図７の符号４４は前カバーに相当する。
［３］後発光板は前面および後面を有する透明な板状をなすものである。この後発光板は端面から光が入射することで発光するものであり、前面が前発光板の後面に対向するように配置されたものである。図７の符号５２は後発光板に相当し、図７の後入射面５４は端面に相当する。
［４］後カバーは後発光板に一体成形されたものである。この後カバーは前面が開口する凹状をなすものであり、前カバーの後方に配置されている。図７の符号５３は後カバーに相当する。
［５］基板収納室は前カバーおよび後カバー相互間に設けられたものであり、前発光板の端面および後発光板の端面のそれぞれを壁面の一部とするものである。図７の符号６３は基板収納室に相当する。
［６］基板は基板収納室内に基板収納室内から突出しないように設けられたものであり、図７のＬＥＤ基板６６は基板に相当する。
［７］前光源は基板に設けられたものであり、前発光板の端面に光を投射するためのものである。図７の前ＬＥＤ６７は前光源に相当する。
［８］後光源は基板に設けられたものであり、後発光板の端面に光を投射するためのものである。この基板は前光源が前発光板の端面に対向すると共に後光源が後発光板の端面に対向するように基板収納室内に固定されている。図７の後ＬＥＤ６８は後光源に相当する。
【発明の効果】
【０００６】
前光源が前発光板の端面に対向すると共に後光源が後発光板の端面に対向するように基板が基板収納室内に固定されている。この基板収納室は前カバーおよび後カバー相互間に設けられたものであり、前カバーは前発光板に一体成形され、後カバーは後発光板に一体成形されている。このため、前カバーの前発光板に対する位置関係および後カバーの後発光板に対する位置関係のそれぞれが製品毎にばらつくことなく安定することで前光源の前発光板に対する位置関係および後光源の後発光板に対する位置関係のそれぞれも安定するので、前発光板の端面および後発光板の端面のそれぞれに光が目標位置から目標角度で安定的に進入するようになる。
【図面の簡単な説明】
【０００７】
【図１】実施例１を示す図（パチンコ遊技機の外観を前方から示す図）
【図２】内枠の外観を斜め前方から示す図
【図３】パチンコ遊技機の外観を前枠の除去状態で前方から示す図
【図４】パチンコ遊技機の電気的な構成を示す図
【図５】遊技盤および電飾ユニットの外観を斜め前方から示す図
【図６】（ａ）は電飾ユニットの外観を前方から示す図、（ｂ）は電飾ユニットの外観を斜め前方から示す図
【図７】（ａ）は図７のＸ１線に沿う断面図、（ｂ）は図７のＸ１線に沿う断面を拡大して示す図
【図８】実施例２を示す図７の（ｂ）相当図
【発明を実施するための形態】
【０００８】
【実施例１】
【０００９】
図１の外枠１は複数の木材を前面および後面のそれぞれが開口する四角筒状に接合することから構成されたものであり、外枠１の前方には、図２に示すように、内枠２が上下方向へ指向する軸３を中心に回動可能に装着されている。この内枠２は外枠１の前面に前方から接触する閉鎖状態および外枠１の前面から前方へ離間する開放状態相互間で軸３を中心に回動可能にされたものであり、内枠ロック機構を介して閉鎖状態にロックされている。この内枠２の下端部には台板４が形成されている。この台板４は垂直な板状をなすものであり、内枠２の下端部を閉鎖している。
【００１０】
内枠２には、図１に示すように、内枠２の前方に位置して前枠５が装着されている。この前枠５は内枠２の前面を閉鎖する閉鎖状態および内枠２の前面を開放する開放状態相互間で内枠２と共通の軸３を中心に回動可能にされたものであり、前枠ロック機構を介して閉鎖状態にロックされている。この前枠５には円形状の貫通孔６が形成されており、貫通孔６の内周面には透明な窓７が固定されている。この前枠５には前枠５の前方に位置して上皿８が固定されている。この上皿８は上面が開口する容器状をなすものであり、内枠２の台板４には、図２に示すように、上皿８の後方に位置して払出口９が形成されている。この払出口９は遊技球を上皿８内に賞品として払出すものであり、払出口９から上皿８内に払出された遊技球は上皿８内に貯留される。
【００１１】
内枠２には、図１に示すように、上皿８の下方に位置して下皿板１０が固定されており、下皿板１０には下皿１１が固定されている。この下皿１１は上皿８内から溢れた遊技球を受けるものであり、上面が開口する容器状をなしている。下皿板１０には下皿１１の右方に位置してハンドル台１２が固定されており、ハンドル台１２にはハンドル１３が装着されている。このハンドル１３は遊技者が右の手指で操作するものであり、停止位置および停止位置に比べて時計回り方向の限度位置相互間で前後方向へ指向する軸１４を中心に回動可能にされている。
【００１２】
内枠２の台板４には、図３に示すように、発射ソレノイド１５が固定されており、発射ソレノイド１５の出力軸には打球槌が連結されている。この発射ソレノイド１５は電磁ソレノイドおよびリターンスプリングを内蔵するロータリーソレノイドからなるものであり、打球槌は発射ソレノイド１５が電気的なオフ状態からオン状態になることで待機位置から打球位置にリターンスプリングのばね力に抗して電磁力で往動し、発射ソレノイド１５が電気的なオン状態からオフ状態になることで打球位置から待機位置にリターンスプリングのばね力で復動する。この発射ソレノイド１５はハンドル１３が停止位置から時計回り方向に操作されているハンドル１３の操作状態でパルス状の駆動電源が一定周期で与えられるものであり、ハンドル１３の操作状態では発射ソレノイド１５のオンオフが一定周期で繰返されることで打球槌が待機位置および打球位置相互間で往復動を繰返す。
【００１３】
内枠２の台板４には、図３に示すように、発射レール１６が固定されている。この発射レール１６は右から左に向けて上昇する傾斜状をなすものであり、発射レール１６の右端部には球止め板１７が固定されている。この球止め板１７には遊技球が通過不能な貫通孔が形成されており、打球槌の打球位置では打球槌の一部が球止め板１７の貫通孔を通して発射レール１６上に進入し、打球槌の待機位置では打球槌の一部が発射レール１６上から右方へ退避する。この発射レール１６は打球槌が打球位置から待機位置に向けて移動開始することに連動して上皿８内から１個の遊技球が移送されるものであり、球止め板１７は上皿８内から発射レール１６上に移送された遊技球が発射レール１６の右端部から転落することを防止し、打球槌は待機位置から打球位置に往動することで球止め板１７が転落不能に支える遊技球を球止め板１７の貫通孔を通して右から左に向けて叩くことで同方向へ転動させる。
【００１４】
内枠２には、図３に示すように、台板４の上方に位置して遊技盤１８が固定されている。この遊技盤１８は透明な合成樹脂を材料に成形されたものであり、垂直な板状をなしている。この遊技盤１８には遊技盤１８の前方に位置して内レール１９と外レール２０と球止めゴム２１が固定されている。内レール１９は上面が開口する円弧状の金属板から構成されたものであり、外レール２０は内レール１９の外周部に配置された円弧状の金属板から構成されたものであり、球止めゴム２１は内レール１９の右端部および外レール２０の右端部相互間の隙間を塞ぐゴムから構成されている。これら内レール１９および外レール２０相互間には発射通路２２が形成されている。この発射通路２２は下端部および上端部のそれぞれが開口する円弧状をなすものであり、打球槌が叩いた遊技球は発射レール１６に沿って転動した後に発射通路２２の下端部を通って発射通路２２内に進入し、発射通路２２に沿って円弧状の軌跡を描きながら上昇する。
【００１５】
遊技盤１８の前面には、図３に示すように、遊技領域２３が形成されている。この遊技領域２３は内レール１９と外レール２０と球止めゴム２１で囲まれた領域のうち発射通路２２を除く残りの円形状の領域を称するものであり、打球槌が叩いた遊技球は発射通路２２の上端部から遊技領域２３内に放出される。この遊技領域２３内には複数の障害釘が固定されており、遊技領域２３内に放出された遊技球は障害釘に当りながら遊技領域２３内を落下する。この遊技領域２３は前枠５の閉鎖状態で前枠５の窓７が前方から対向するものであり、前枠５の閉鎖状態で前方から窓７を通して視覚的に認識可能にされている。
【００１６】
遊技盤１８には、図３に示すように、遊技領域２３内に位置して開口部２４が形成されている。この開口部２４は遊技盤１８を前後方向に貫通するものであり、開口部２４内には前方から装飾枠が嵌め込まれている。この装飾枠は有色不透明な合成樹脂を材料に成形されたものであり、前面および後面のそれぞれが開口する筒状をなしている。この装飾枠の後端部には液晶表示器からなる図柄表示器２５（図４参照）が固定されている。この図柄表示器２５は遊技盤１８の後面に比べて後方に配置されたものであり、図柄表示器２５の表示内容は前枠５の閉鎖状態で前方から前枠５の窓７および装飾枠の前面のそれぞれを通して視覚的に認識可能にされている。
【００１７】
図柄表示器２５は図柄遊技の映像が表示されるものである。この図柄遊技の映像は左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素（１）〜（８）を予め決められた順序（１）→（２）→（３）→（４）→（５）→（６）→（７）→（８）→（１）・・・で循環的に変化させることで行われ、左列の図柄要素〜右列の図柄要素のそれぞれの停止表示は図柄要素を（１）〜（８）の８種類のいずれか１つで停止させることで行われる。これら左列の図柄要素〜右列の図柄要素は識別図柄を構成するものであり、識別図柄の組合せには左列の図柄要素〜右列の図柄要素のそれぞれが相互に同一な大当りの組合せおよび相互に同一でない外れの組合せの２種類が設定されている。
【００１８】
遊技盤１８には、図３に示すように、遊技領域２３内の右下部に位置して台板２６が固定されている。この台板２６は遊技盤１８の開口部内に前方から嵌め込まれたものであり、遊技盤１８の前面に対して平行な板状をなしている。この台板２６は有色不透明な合成樹脂を材料に成形されたものであり、台板２６には台板２６の前方に位置して始動口２７が固定されている。この始動口２７は有色不透明な合成樹脂を材料に成形されたものであり、上面が開口するポケット状をなしている。この始動口２７は遊技球が上面から入賞することが可能なものであり、遊技球が始動口２７内に入賞した場合には始動口２７内を通過して遊技盤１８の後方に排出される。この始動口２７内には近接スイッチからなる始動口センサ２８（図４参照）が固定されており、遊技球が始動口２７内に入賞した場合には始動口センサ２８が遊技球を検出することで始動信号を出力する。
【００１９】
台板２６には、図３に示すように、特別入賞口２９が固定されている。この特別入賞口２９は有色不透明な合成樹脂を材料に成形されたものであり、前面が開口する箱状をなしている。この特別入賞口２９は遊技球が前面から入賞することが可能なものであり、遊技球が特別入賞口２９内に入賞した場合には特別入賞口２９内を通過して遊技盤１８の後方に排出される。この特別入賞口２９内には近接スイッチからなる特別入賞口センサ３０（図４参照）が固定されており、遊技球が特別入賞口２９内に入賞した場合には特別入賞口センサ３０が遊技球を検出することで特別入賞信号を出力する。
【００２０】
特別入賞口２９には、図３に示すように、有色不透明な合成樹脂製の扉板３１が装着されている。この扉板３１は垂直な閉鎖状態および水平な開放状態相互間で左右方向へ指向する軸３２を中心に回動可能にされたものであり、扉板３１の閉鎖状態では特別入賞口２９の前面が遊技球が入賞不能に閉鎖され、扉板３１の開放状態では遊技球が扉板３１に乗って特別入賞口２９の前面に入賞することが可能になる。この扉板３１は特別入賞口ソレノイド３３（図４参照）の出力軸に連結されている。この特別入賞口ソレノイド３３は直動形の電磁ソレノイドからなるものであり、扉板３１は特別入賞口ソレノイド３３の電気的なオフ状態で閉鎖状態になり、特別入賞口ソレノイド３３の電気的なオン状態で開放状態になる。
【００２１】
遊技盤１８には、図３に示すように、アウト口３４が固定されている。このアウト口３４は前面が開口するものであり、遊技領域２３内に最低部に配置されている。このアウト口３４は遊技球が始動口２７内および特別入賞口２９内のいずれにも入賞しなかった場合に内レール１９に沿って転動することで前面から進入するものであり、アウト口３４内に進入した遊技球はアウト口３４内を通過して遊技盤１８の後方に排出される。この遊技盤１８の後方には排出樋が固定されている。この排出樋は始動口２７と特別入賞口２９とアウト口３４のそれぞれから排出された遊技球が進入するものであり、排出樋内に進入した遊技球は排出樋に沿って転動することで機外に排出される。
【００２２】
図４のメイン制御回路３５はマイクロコンピュータを主体に構成されたものであり、ＣＰＵとＲＯＭとＲＡＭを有している。このメイン制御回路３５は始動口センサ２８から始動信号が出力されているか否かを判断するものであり、始動口センサ２８から始動信号が出力されていると判断した場合には大当りカウンタの値の更新結果を検出する。この大当りカウンタの値は一定時間（４ｍｓｅｃ）が経過する毎にメイン制御回路３５が一定値（１）だけ更新するものであり、大当りカウンタの値は予め決められた下限値（０）を基準に予め決められた上限値（１００）まで加算された後に下限値に戻して循環的に加算される。
【００２３】
メイン制御回路３５は大当りカウンタの値を検出した場合に大当りカウンタの値の検出結果を大当り値（７）と比較するものである。この大当り値（７）は大当りカウンタの値の更新範囲内で予め決められたものであり、メイン制御回路３５は大当りカウンタの値の検出結果が大当り値と同一であると判断した場合には大当りであると判定し、大当りカウンタの値の検出結果が大当り値と相違していると判断した場合には外れであると判定する。このメイン制御回路３５は大当りであると判定した場合に表示制御回路３６（図４参照）に大当りコマンドを送信するものであり、外れであると判定した場合には表示制御回路３６に外れコマンドを送信する。
【００２４】
表示制御回路３６はマイクロコンピュータを主体に構成されたものであり、ＣＰＵとＲＯＭとＲＡＭを有している。この表示制御回路３６はメイン制御回路３５から大当りコマンドが送信されたと判断した場合に識別図柄を大当りの組合せに設定するものであり、メイン制御回路３５から外れコマンドが送信されたと判断した場合には識別図柄を外れの組合せに設定する。この表示制御回路３６は識別図柄の組合せを設定した場合に図柄表示器２５に左列の図柄要素〜右列の図柄要素のそれぞれを可変状態で表示開始するものであり、左列の図柄要素〜右列の図柄要素のそれぞれを可変状態で表示開始した場合には１番目に左列の図柄要素の可変表示を停止し、２番目に右列の図柄要素の可変表示を停止し、３番目に中列の図柄要素の可変表示を停止する。これら左列の図柄要素〜右列の図柄要素のそれぞれの停止表示は識別図柄を外れの組合せに設定した場合には識別図柄が外れの組合せとなるように行われるものであり、識別図柄を大当りの組合せに設定した場合には識別図柄が大当りの組合せとなるように行われる。
【００２５】
メイン制御回路３５は大当りであると判定した場合に大当り遊技を行うものである。この大当り遊技は複数回（５回）の大当りラウンドの集合体を称するものであり、メイン制御回路３５は図柄表示器２５に識別図柄が大当りの組合せで停止表示された後に１回目の大当りラウンドを開始する。これら複数回の大当りラウンドのそれぞれは特別入賞口ソレノイド３３を電気的なオフ状態からオン状態に切換えることで扉板３１を閉鎖状態から開放状態に回動操作し、遊技球が特別入賞口２９内に入賞することを許容するものである。これら複数回の大当りラウンドのそれぞれは特別入賞口２９の開放時間が予め決められた限度時間（３０．０ｓｅｃ）に到達した場合または特別入賞口２９に対する遊技球の入賞個数が予め決められた限度個数（１０個）に到達した場合に終了するものであり、メイン制御回路３５は特別入賞口センサ３０からの特別入賞信号に基づいて遊技球の特別入賞口２９に対する入賞個数を計測する。
【００２６】
内枠２には、図２に示すように、賞球タンク３７および賞球ケース３８が固定されている。賞球タンク３７は遊技球を貯留するものであり、上面が開口する容器状をなしている。賞球ケース３８は上下方向へ指向する通路状をなすものであり、賞球ケース３８の上端部は賞球タンク３７内に接続されている。この賞球ケース３８は賞球タンク３７内から遊技球が上端部を通して供給されるものであり、賞球ケース３８内には賞球払出装置が固定されている。この賞球払出装置は払出モータ３９（図４参照）を駆動源として賞球ケース３８内の遊技球を賞球ケース３８の下端部から落下させるものである。この賞球ケース３８の下端部は内枠２の払出口９に接続されており、賞球ケース３８の下端部から落下した遊技球は払出口９を通して上皿８内に賞品として払出される。
【００２７】
図４の払出制御回路４０はマイクロコンピュータを主体に構成されたものであり、メイン制御回路３５は始動口センサ２８からの始動信号を検出した場合には払出制御回路４０に賞球コマンド１を送信し、特別入賞口センサ３０からの特別入賞信号を検出した場合には払出制御回路４０に賞球コマンド２を送信する。この払出制御回路４０はＣＰＵとＲＯＭとＲＡＭを有するものであり、メイン制御回路３５から賞球コマンド１が送信されたと判断した場合には払出モータ３９を駆動することで賞球ケース３８内から上皿８内に一定個数Ｎ１の遊技球を賞品として払出し、メイン制御回路３５から賞球コマンド２が送信されたと判断した場合には払出モータ３９を駆動することで賞球ケース３８内から上皿８内に一定個数Ｎ２（＞Ｎ１）の遊技球を賞品として払出す。
【００２８】
遊技盤１８には、図５に示すように、遊技盤１８の後方に位置して電飾ユニット４１が固定されている。この電飾ユニット４１は電気的なオン状態になることで発光するものであり、遊技盤１８の後面に後方から対向している。この電飾ユニット４１は電飾ユニット４１の発光状態で遊技者が透明な窓７および透明な遊技盤１８のそれぞれを通して視覚的に認識することが可能なものであり、遊技盤１８は電飾ユニット４１が発光することで後方から電飾される。この電飾ユニット４１の詳細構成は次の通りである。
【００２９】
図６の前透明板４２は透明な合成樹脂（アクリル樹脂）を材料とするものであり、前発光板４３および前カバー４４を有している。これら前発光板４３および前カバー４４のそれぞれは１つの成形型内に樹脂を射出する射出成形で同時に成形されたものである（一体成形と称する）。前発光板４３は遊技盤１８に対して平行な板状をなすものであり、前方から見た場合に前面と後面と内周面と外周面を有する扇形状をなしている。この前発光板４３の前面は遊技盤１８の後面に隙間を介して対向しており、前発光板４３のうち一部は発射通路２２の後方に配置され、前発光板４３のうち一部を除く残りの部分は遊技領域２３の後方に配置されている。この前発光板４３には前模様が形成されている。この前模様は前発光板４３の前面に複数の凹部を形成することで構成されたものであり、前発光板４３の内周面から前発光板４３内に光が進入した場合には光が前模様で乱反射することで向きを変え、遊技者から見た場合に前模様が発光することで発射通路２２および遊技領域２３のそれぞれが電飾される。即ち、前発光板４３の内周面は前発光板４３内に光を入射するための前入射面４５（図７参照）に相当する。
【００３０】
前カバー４４は後面が開口する凹状をなすものであり、図６に示すように、前壁４６と外周壁４７と内周壁４８と端壁４９と端壁５０を有している。前壁４６は遊技盤１８に対して平行な板状をなすものである。この前壁４６は遊技盤１８のうち外レール２０に比べて外側の外部領域の後方に配置されたものであり、前壁４６の前面は遊技盤１８の外部領域で遊技盤１８の後面に接触している。外周壁４７と内周壁４８と端壁４９と端壁５０のそれぞれは前壁４６から後に向けて垂直に突出するものであり、外周壁４７は前壁４６の外周部に配置され、内周壁４８は前壁４６の内周部に配置され、端壁４９は外周壁４７の径方向の一端部および内周壁４８の径方向の一端部相互間に配置され、端壁５０は外周壁４７の径方向の他端部および内周壁４８の径方向の他端部相互間に配置されている。
【００３１】
図７の後透明板５１は透明な合成樹脂（アクリル樹脂）を材料とするものであり、後発光板５２および後カバー５３を有している。これら後発光板５２および後カバー５３のそれぞれは１つの成形型内に樹脂を射出する射出成形で同時に成形されたものである。後発光板５２は前発光板４３に対して平行な板状をなすものであり、前方から見た場合に前面と後面と内周面と外周面を有する扇形状をなしている。この後発光板５２は前発光板４３と同一の輪郭形状を有するものであり、前発光板４３の後方に重ねて配置されている。この後発光板５２には後模様が形成されている。この後模様は後発光板５２の後面に複数の凹部を形成することで構成されたものであり、後発光板５２の内周面から後発光板５２内に光が進入した場合には光が後模様で乱反射することで向きを変え、遊技者から見た場合に後模様が発光することで発射通路２２および遊技領域２３のそれぞれが電飾される。即ち、後発光板５２の内周面は後発光板５２内に光を入射するための後入射面５４に相当する。
【００３２】
後カバー５３は、図７に示すように、前面が開口する凹状をなすものであり、後壁５５と外周壁５６と内周壁５７と端壁５８（図６参照）と端壁５９（図６参照）を有している。後壁５５は前カバー４４の前壁４６に対して平行な板状をなすものである。この後壁５５は前方から見た場合に前カバー４４の前壁４６と同一の輪郭形状を有するものであり、前カバー４４の前壁４６の後方に重ねて配置されている。外周壁５６と内周壁５７と端壁５８と端壁５９のそれぞれは後壁５５から前に向けて垂直に突出するものであり、外周壁５６は後壁５５の外周部に配置され、内周壁５７は後壁５５の内周部に配置され、端壁５８は外周壁５６の径方向の一端部および内周壁５７の径方向の一端部相互間に配置され、端壁５９は外周壁５６の径方向の他端部および内周壁５７の径方向の他端部相互間に配置されている。
【００３３】
前発光板４３には、図７に示すように、前スペーサ６０が一体成形されている。この前スペーサ６０は前発光板４３の後面から後方へ突出するものであり、前発光板４３の内周部に配置されている。後発光板５２には後スペーサ６１が一体成形されている。この後スペーサ６１は後発光板５２の前面から前方へ突出するものであり、後発光板５２の内周部に配置されている。この後発光板５２の後スペーサ６１は前発光板４３の前スペーサ６０に接合され、後カバー５３の外周壁５６は前カバー４４の外周壁４７に接合され、後カバー５３の端壁５８は前カバー４４の端壁４９に接合され、後カバー５３の端壁５９は前カバー４４の端壁５０に接合されており、前透明板４２は後スペーサ６１および前スペーサ６０相互間の接合力と外周壁５６および外周壁４７相互間の接合力と端壁５８および端壁４９相互間の接合力と端壁５９および端壁５０相互間の接合力で後透明板５１に固定されている。
【００３４】
前透明板４２および後透明板５１相互間の固定状態では、図７に示すように、前発光板４３および後発光板５２相互間に隙間６２が形成され、前カバー４６および後カバー５５相互間に基板収納室６３が形成されている。この基板収納室６３は前カバー４４の前壁４６と外周壁４７と内周壁４８と端壁４９と端壁５０と後カバー５３の後壁５５と外周壁５６と内周壁５７と端壁５８と端壁５９で囲まれた空間であり、前発光板４３の前入射面４５および後発光板５２の後入射面５４のそれぞれは基板収納室６３の内周側の壁面を構成している。
【００３５】
前カバー４４の前壁４６には、図７に示すように、２つの前基板押え６４が一体成形されている。これら両前基板押え６４のそれぞれは前壁４６の後面から後方へ突出するものであり、基板収納室６３内に配置されている。これら両前基板押え６４のそれぞれは径方向に相互に離間するものであり、前方から見た場合に円弧状をなしている。後カバー５３の後壁５５には２つの後基板押え６５が一体成形されている。これら両後基板押え６５のそれぞれは後壁５５の前面から前方へ突出するものであり、基板収納室６３内に配置されている。これら両後基板押え６５のそれぞれは径方向に相互に離間するものであり、前方から見た場合に円弧状をなしている。
【００３６】
基板収納室６３内には、図７に示すように、ＬＥＤ基板６６が収納されている。このＬＥＤ基板６６は前方から見た場合に円弧状をなすものであり、ＬＥＤ基板６６には前面および後面のそれぞれに位置して配線パターンが形成されている。このＬＥＤ基板６６は２つの前基板押え６４および２つの後基板押え６５相互間で挟まれることで基板収納室６３内に固定されたものであり、前発光板４２および後発光板４９のそれぞれに対して平行に配置されている。このＬＥＤ基板６６は白色の合成樹脂を材料に成形されたものであり、光はＬＥＤ基板６６の前面および後面のそれぞれで反射される。
【００３７】
ＬＥＤ基板６６の前面には、図７に示すように、複数の前ＬＥＤ６７が搭載されている。これら複数の前ＬＥＤ６７のそれぞれはサイドビュータイプのＬＥＤからものであり、ＬＥＤ基板６６の前面に対して平行に青色の光を投射する投射部を有している。これら複数の前ＬＥＤ６７のそれぞれの投射部は前発光板４３の前入射面４５に径方向から隙間を介して対向するものであり、前発光板４３の前入射面４５に垂直に光を投射する。これら複数の前ＬＥＤ６７のそれぞれはＬＥＤ基板６６の前面の配線パターンに電気的に接続された端子を有するものであり、ＬＥＤ基板６６の前面の配線パターンを通して電源が供給される。これら複数の前ＬＥＤ６７は前発光板４３の前入射面４５の径方向の全域に光が投射されるように円弧状に配列されたものであり、複数の前ＬＥＤ６７のそれぞれの投射部から前発光板４３の前入射面４５に光が投射された場合には光が前発光板４３内に進入することで前模様の全域が発光する。
【００３８】
ＬＥＤ基板６６の後面には、図７に示すように、複数の後ＬＥＤ６８が搭載されている。これら複数の後ＬＥＤ６８のそれぞれはサイドビュータイプのＬＥＤからものであり、ＬＥＤ基板６６の後面に対して平行に赤色の光を投射する投射部を有している。これら複数の後ＬＥＤ６８のそれぞれの投射部は後発光板５２の後入射面５４に径方向から隙間を介して対向するものであり、後発光板５２の後入射面５４に向けて垂直に光を投射する。これら複数の後ＬＥＤ６８のそれぞれはＬＥＤ基板６６の後面の配線パターンに電気的に接続された端子を有するものであり、ＬＥＤ基板６６の後面の配線パターンを通して電源が供給される。これら複数の後ＬＥＤ６８は後発光板５２の後入射面５４の径方向の全域に光が投射されるように円弧状に配列されたものであり、複数の後ＬＥＤ６８のそれぞれの投射部から後発光板５２の後入射面５４に光が投射された場合には光が後発光板５２内に進入することで後模様の全域が発光する。
【００３９】
前カバー４４の前壁４６には、図７に示すように、基板収納室６３内に位置して前絶縁シート６９が貼付されている。この前絶縁シート６９は前壁４６の後面に配置されたものであり、前方から見た場合にＬＥＤ基板６６に対向する円弧状をなしている。この前絶縁シート６９は複数の前ＬＥＤ６７のそれぞれを静電気から絶縁するものである。この静電気は遊技盤１８を転動する遊技球が有するものであり、前絶縁シート６９は遊技盤１８および前透明板４２のそれぞれに比べて絶縁性が高い絶縁材料から成形されている。この前絶縁シート６９は白色の色彩を有するものであり、複数の前ＬＥＤ６７のそれぞれの投射部から投射された光が前発光板４３の前入射面４５で反射された場合には前絶縁シート６９およびＬＥＤ基板６６のそれぞれで反射されることで前発光板４３の前入射面４５に入射する。
【００４０】
後カバー５３の後壁５５には、図７に示すように、基板収納室６３内に位置して後絶縁シート７０が貼付されている。この後縁シート７０は後壁５５の前面に配置されたものであり、前方から見た場合にＬＥＤ基板６６に対向する円弧状をなしている。この後絶縁シート７０は複数の後ＬＥＤ６８のそれぞれを静電気から絶縁するものである。この静電気は始動口２７と特別入賞口２９とアウト口３４のそれぞれから遊技盤１８の後方へ排出された遊技球が有するものであり、後絶縁シート７０は前絶縁シート６９と同一の絶縁材料から成形されている。この後絶縁シート７０は白色の色彩を有するものであり、複数の後ＬＥＤ６８のそれぞれの投射部から投射された光が後発光板５２の後入射面５４で反射された場合には後絶縁シート７０およびＬＥＤ基板６６のそれぞれで反射されることで後発光板５２の後入射面５４に入射する。
【００４１】
ＬＥＤ基板６６の後面にはＬＥＤ回路７１（図４参照）が搭載されている。このＬＥＤ回路７１は複数の前ＬＥＤ６７のそれぞれにＬＥＤ基板６６の前面の配線パターンを通して電源を供給し、複数の後ＬＥＤ６８のそれぞれにＬＥＤ基板６６の後面の配線パターンを通して電源を供給するものであり、基板収納室６３内に配置されている。このＬＥＤ回路７１はメイン制御回路３５から電飾制御回路７２（図４参照）に電飾コマンドが送信された場合に電飾制御回路７２が電飾コマンドの送信結果に応じて電気的に制御するものであり、電飾制御回路７２はＬＥＤ回路７１を電飾コマンドの送信結果に応じて制御することで複数の前ＬＥＤ６７および複数の後ＬＥＤ６８のそれぞれを点灯状態および消灯状態相互間で操作し、前発光板４３の前模様および後発光板５２の後模様のそれぞれを電飾する。
【００４２】
上記実施例１によれば次の効果を奏する。
ＬＥＤ基板６６を前カバー４４の前基板押え６４および後カバー５３の後基板押え６５相互間で挟むことで基板収納室６３内の目標位置に固定し、ＬＥＤ基板６６を基板収納室６３内の目標位置に固定することで前ＬＥＤ６７を前発光板４３の前入射面４５に対向させ、後ＬＥＤ６８を後発光板５２の後入射面５４に対向させた。この基板収納室６３は前カバー４４および後カバー５３相互間に設けられたものであり、前カバー４４は前発光板４３に一体成形され、後カバー５３は後発光板５２に一体成形されている。このため、前カバー４４の前発光板４３に対する位置関係および後カバー５３の後発光板５２に対する位置関係のそれぞれが製品毎にばらつくことなく安定し、前ＬＥＤ６７の前発光板４３に対する位置関係および後ＬＥＤ６８の後発光板５２に対する位置関係のそれぞれも安定するので、前発光板４３の前入射面４５および後発光板５２の後入射面５４のそれぞれに光が目標位置から目標角度で安定的に進入するようになる。
【００４３】
ＬＥＤ基板６６をボックス状の基板収納室６３内に収納した。このため、ＬＥＤ基板６６が壁で囲われるので、作業者が電飾ユニット４１を遊技盤１８に組付ける場合に前ＬＥＤ６７および後ＬＥＤ６８のそれぞれが異物に接触することで破損することを防止できる。しかも、前発光板４３に前カバー４４を一体成形すると共に後発光板５２に後カバー５４を一体成形し、前カバー４４および後カバー５４を相互に合せることで基板収納室６３を形成したので、前ＬＥＤ６７および後ＬＥＤ６８のそれぞれを保護する部材を別途組付ける手間がなくなる。
【００４４】
前カバー４４に前絶縁シート６９を設けたので、前ＬＥＤ６７を遊技盤１８の前方の遊技球から絶縁できる。しかも、前絶縁シート６９として光を反射可能なものを用いたので、前ＬＥＤ６７から投射された光が透明な前カバー４４を通して漏れることなく前発光板４３の前入射面４５に入射するようになる。後カバー５３に後絶縁シート７０を設けたので、後ＬＥＤ６８を遊技盤１８の後方の遊技球から絶縁できる。しかも、後絶縁シート７０として光を反射可能なものを用いたので、後ＬＥＤ６８から投射された光が透明な後カバー５３を通して漏れることなく後発光板５２の後入射面５４に入射するようになる。
【００４５】
ＬＥＤ基板６６として光を反射することが可能なものを用いたので、ＬＥＤ基板６６の前面のうち前ＬＥＤ６７の内周部に前反射部が形成され、ＬＥＤ基板６６の後面のうち後ＬＥＤ６８の内周部に後反射部が形成される。このため、前ＬＥＤ６７からＬＥＤ基板６６の前面に向けて投射された光が前反射部で反射され、後ＬＥＤ６８からＬＥＤ基板６６の後面に向けて投射された光が後反射部で反射されるので、前発光板４３の前入射面４５および後発光板５２の後入射面５４のそれぞれに多量の光量が進入するようになる。
【実施例２】
【００４６】
前透明板４２には、図８に示すように、前反射層８１が形成されている。この前反射層８１は光を反射することが可能な白色の塗料からなるものであり、前カバー４４の前面のうちＬＥＤ基板６６に対向する一部分および前発光板４３の前面のうちＬＥＤ基板６６側の一部分に配置されている。後透明板５１には後反射層８２が形成されている。この後反射層８２は前反射層８１と同一の塗料からなるものであり、後カバー５３の後面のうちＬＥＤ基板６６に対向する一部分および後発光板５２の後面のうちＬＥＤ基板６６側の一部分に配置されている。
【００４７】
上記実施例２によれば次の効果を奏する。
前透明板４２に前反射層８１を設けたので、前ＬＥＤ６７から投射された光が前カバー４４および前発光板４３のそれぞれを通して漏れることなく前発光板４３内を進行するようになる。後透明板５１に後反射層８２を設けたので、後ＬＥＤ６８から投射された光が後カバー５３および後発光板５２のそれぞれを通して漏れることなく後発光板５２内を進行するようになる。
【００４８】
上記実施例１および実施例２のそれぞれにおいては、前発光板４３の後面に複数の凹部を形成することで前模様を構成しても良い。
上記実施例１および実施例２のそれぞれにおいては、後発光板５２の前面に複数の凹部を形成することで後模様を構成しても良い。
【００４９】
上記実施例１および実施例２のそれぞれにおいては、ＬＥＤ基板６６の前面のうち前ＬＥＤ６７の内周部にメッキ等のコーティングを施すことで反射層を設け、ＬＥＤ基板６６の後面のうち後ＬＥＤ６８の内周部にメッキ等のコーティングを施すことで後反射層を設けても良い。前反射層は前ＬＥＤ６７からＬＥＤ基板６６の前面に向けて投射された光を反射するものであり、前発光板４３の前入射面４５には前反射層がない場合に比べて多量の光が進入するようになる。後反射層は後ＬＥＤ６７からＬＥＤ基板６６の後面に向けて投射された光を反射するものであり、後発光板５２の後入射面５４には後反射層がない場合に比べて多量の光が進入するようになる。
【００５０】
上記実施例１および実施例２のそれぞれにおいては、基板収納室６３内にＬＥＤ基板６６に換えて前ＬＥＤ基板および後ＬＥＤ基板の２枚を収納しても良い。これら前ＬＥＤ基板および後ＬＥＤ基板は前後方向に重ねて配置されたものであり、前ＬＥＤ６７は前ＬＥＤ基板に搭載され、後ＬＥＤ６８は後ＬＥＤ基板に搭載されている。これら前ＬＥＤ基板および後ＬＥＤ基板は基板を構成するものであり、前基板押え６４および後基板押え６５相互間で挟まれることで基板収納室６３内の目標位置に固定され、前ＬＥＤ６７の投射部は前ＬＥＤ基板および後ＬＥＤ基板が基板収納室６３内の目標位置に固定されることで前発光板４３の前入射面４５に径方向から対向し、後ＬＥＤ６８の投射部は前ＬＥＤ基板および後ＬＥＤ基板が基板収納室６３内の目標位置に固定されることで後発光板５２の後入射面５４に径方向から対向している。
【００５１】
上記実施例１および実施例２のそれぞれにおいては、基板収納室６３内にＬＥＤ基板６６に換えてＬＥＤ基板を収納しても良い。このＬＥＤ基板は一面が前発光板４３の前入射面４５および後発光板５２の後入射面５４のそれぞれに径方向から対向するように配置されたものであり、ＬＥＤ基板の一面にはトップビュータイプの前ＬＥＤおよびトップビュータイプの後ＬＥＤが搭載されている。これら前ＬＥＤおよび後ＬＥＤのそれぞれはＬＥＤ基板に対して垂直に光を投射するものであり、ＬＥＤ基板は前カバー４４の前壁４６および後カバー５３の後壁５５相互間で挟まれることで基板収納室６３内の目標位置に固定され、前ＬＥＤの投射部はＬＥＤ基板が基板収納室６３内の目標位置に固定されることで前発光板４３の前入射面４５に径方向から対向し、後ＬＥＤの投射部はＬＥＤ基板が基板収納室６３内の目標位置に固定されることで後発光板５２の後入射面５４に径方向から対向している。
【００５２】
上記実施例１および実施例２のそれぞれにおいては、前カバー４４または後カバー５３を通してＬＥＤ基板６６にネジを螺合することでＬＥＤ基板６６を基板収納室６３内に固定しても良く、要は前ＬＥＤ６７が前発光板４３の前入射面４５に対向すると共に後ＬＥＤ６８が後発光板５２の後入射面５４に対向するようにＬＥＤ基板６６を基板収納室６３内に固定すれば良い。
【符号の説明】
【００５３】
４３は前発光板、４４は前カバー、５２は後発光板、６３は基板収納室、５３は後カバー、６６はＬＥＤ基板（基板）、６７は前ＬＥＤ（前光源）、６８は後ＬＥＤ（後光源）である。
【図１】
0005434894.tif 000002
【図２】
0005434894.tif 000003
【図３】
0005434894.tif 000004
【図４】
0005434894.tif 000005
【図５】
0005434894.tif 000006
【図６】
0005434894.tif 000007
【図７】
0005434894.tif 000008
【図８】
0005434894.tif 000009